(57)【要約】【課題】本発明は、封止ロック作業の作業性を向上させることができ、かつ、基板ケースの裏側からの不正解除を防止することができる遊技機の基板ケースを提供することを課題とする。【解決手段】遊技機の基板２が取り付けられる蓋体３と、該蓋体３がスライド嵌着される底体４とを有する遊技機の基板ケース１において、該底体４の一端には、複数個のかしめ部材１２がそれぞれ着脱可能に取り付けられる取付け部１１が設けられており、該蓋体３の一端には、該蓋体３を該底体４にスライド嵌着したときに該かしめ部材１２に嵌合して係止される係止部２３が設けられており、更に、該蓋体３を該底体４にスライド嵌着した状態で該かしめ部材１２は該基板２の上部に位置している遊技機の基板ケース１を提供する。【選択図】    図４
2005349068.tif 000002
【特許請求の範囲】
【請求項１】
遊技機の基板が取り付けられる蓋体と、該蓋体がスライド嵌着される底体とを有する遊技機の基板ケースにおいて、
該底体の一端には、複数個のかしめ部材がそれぞれ着脱可能に取り付けられる取付け部が設けられており、該蓋体の一端には、該蓋体を該底体にスライド嵌着したときに該かしめ部材に嵌合して係止される係止部が設けられており、
更に、該蓋体を該底体にスライド嵌着した状態で該かしめ部材は該基板の上部に位置していることを特徴とする遊技機の基板ケース。
【発明の詳細な説明】
【技術分野】
【０００１】
本発明は、スライド嵌着式の遊技機の基板ケースに関する。
【背景技術】
【０００２】
従来、スライドして開閉する遊技機の制御ボックスとしては、筐体本体（底体）と蓋体とを合体させて制御ボックスを形成する際に、予め筐体本体の挿入穴形成部に板バネを挿入しておき、制御基板を蓋体の内部に保持させてスライド装着した後に、該挿入穴形成部と重なり合った金属片挿入部に金属片を挿入し、挿入穴内で足部を板バネに係止させることによって、蓋体と筐体本体とを封止するものが提供されている（特許文献１参照）。
【０００３】
【特許文献１】特開２００４−１０５７５５号公報（第９−１３頁、第１−３図）
【発明の開示】
【発明が解決しようとする課題】
【０００４】
しかしながら上記従来の構成では、筐体本体と蓋体とを封止する場合に、蓋体を筐体本体にスライド装着する工程（スライド工程）のほかに、別途、金属片を金属片挿入部に挿入して足部を板バネに係止させる工程（ロック工程）を行う必要があるため、封止ロック作業に手間がかかるという問題があった。
また一般に、遊技機の制御ボックス（基板ケース）に不正行為を施す場合には、制御ボックスの裏側から種々の工具を用いて制御ボックスの封止構造を破壊して封止を不正に解除する場合も少なくないが、上記従来の構成では、封止構造（挿入穴形成部と金属片挿入部）が筐体本体と蓋体の外周部に突設されており、制御基板の上部には位置していないため、制御ボックスの裏側から封止構造を破られるおそれがあるという問題があった。また、裏側から不正に封止を解除された場合には、不正解除の痕跡を確認しにくいため、不正行為の早期発見が困難であるという問題があった。
【課題を解決するための手段】
【０００５】
本発明は上記従来の課題を解決するための手段として、遊技機の基板２が取り付けられる蓋体３と、該蓋体３がスライド嵌着される底体４とを有する遊技機の基板ケース１において、該底体４の一端には、複数個のかしめ部材１２がそれぞれ着脱可能に取り付けられる取付け部１１が設けられており、該蓋体３の一端には、該蓋体３を該底体４にスライド嵌着したときに該かしめ部材１２に嵌合して係止される係止部２３が設けられており、更に、該蓋体３を該底体４にスライド嵌着した状態で該かしめ部材１２は該基板２の上部に位置している遊技機の基板ケース１を提供するものである。
【発明の効果】
【０００６】
本発明の遊技機の基板ケース１では、蓋体３を底体４にスライド嵌着したときに、底体４に取り付けられたかしめ部材１２に蓋体３の係止部２３が嵌合して係止されるため、蓋体３を底体４にスライド嵌着する工程（スライド工程）と同時に、かしめ部材１２に係止部２３を係止させる工程（ロック工程）を行うことができ、封止ロック作業の作業性を向上させることが可能となる。
また本発明の遊技機の基板ケース１では、蓋体３を底体４にスライド嵌着した状態でかしめ部材１２が基板２の上部に位置しているので、該基板ケース１の裏側から該かしめ部材１２を破壊しようとした場合には、該かしめ部材１２の下部に位置する該基板２が干渉することとなり、該基板ケース１の裏側からの不正解除を防止することができる。また、該基板ケース１の上面または側面から不正解除が行われた場合には、不正行為を早期に発見することができる。
【発明を実施するための最良の形態】
【０００７】
以下、本発明を実施例１および実施例２により詳細に説明する。
【実施例１】
【０００８】
本発明を図１〜図４に示す一実施例によって説明する。
図１に示すように、例えばパチンコやパチスロ等の遊技機の基板ケース１は、遊技機の基板２が取り付けられる透明な樹脂製の蓋体３と、該蓋体３がスライド嵌着される透明な樹脂製の底体４とを有している。
本実施例では、該基板ケース１の底体４の左右両側には、断面コの字状のガイド溝５が凹設されており、一方、該蓋体３の左右両側には、該底体４のガイド溝５にスライド挿着されるフランジ部６が凸設されている。
【０００９】
また、該遊技機の基板２には、所定のパターンのプリント配線（図示せず）が形成されているとともに、ＣＰＵやＲＯＭ等のチップ（図示せず）が実装されており、また、該基板２の隅角部には、ビス７を挿通するためのビス挿通孔８がそれぞれ設けられている。
一方、該基板ケース１の蓋体３の下面の周縁部には、該基板２の形状に対応した形状の取付け段部９が設けられており（図３および図４参照）、該取付け段部９の隅角部には、該基板２のビス挿通孔８に対応するのビス孔１０がそれぞれ設けられている。
そして、該基板２は、該蓋体３の取付け段部９に嵌合された状態で、該基板２のビス挿通孔８を介して該蓋体３のビス孔１０にビス７を螺着することによって、該蓋体３の下面にビス止めされている。
【００１０】
図１および図２に示すように、該基板ケース１の底体４の一端には四個の取付け部１１がそれぞれ設けられており、該取付け部１１には四個の樹脂製のかしめ部材１２がそれぞれ着脱可能に取り付けられている。
該四個の取付け部１１は横連結片１３を介して相互に連結されており、また、左右両端の取付け部１１の外端部は端連結片１４を介して基板ケース１の底体４にそれぞれ連結されている。更に、該四個の取付け部１１の下部は縦連結片１５を介して基板ケース１の底体４にそれぞれ連結されている。
【００１１】
また、該かしめ部材１２は、水平板１６と垂直板１７とからなるＬ字板１８と、該Ｌ字板１８の垂直板１７から差出される左右一対の係合片１９とからなり、該係合片１９の外側の側面からは係合リブ２０が凸設されている。
そして、該底体４の取付け部１１には、かしめ部材１２を使用するときに該かしめ部材１２を嵌着するための使用位置嵌着凹部２１と、かしめ部材１２を使用しないときに該かしめ部材１２を嵌着するための待機位置嵌着凹部２２とがそれぞれ設けられている（図１および図２参照）。
【００１２】
また、該基板ケース１の蓋体３の一端には、四個の係止部２３が設けられており、該係止部２３には、該蓋体３を該底体４にスライド嵌着したときに、使用位置嵌着凹部２１に嵌着されたかしめ部材１２の左右一対の係合片１９に嵌合して係止される係止爪２４が設けられている（図２参照）。
【００１３】
上記の遊技機の基板ケース１を封止ロックする場合には、図２〜図４に示すように、四個のかしめ部材１２のうち一つのかしめ部材１２を底体４の取付け部１１の使用位置嵌着凹部２１に嵌着するとともに、残りのかしめ部材１２を該取付け部１１の待機位置嵌着凹部２２に嵌着する。
一方、蓋体３の下面には予め基板２をビス止めし、該蓋体３のフランジ部６を底体４のガイド溝５にスライド挿着する（図３参照）。
そして、蓋体３を底体４にスライド嵌着することによって、該底体４の使用位置嵌着凹部２１に嵌着されたかしめ部材１２に該蓋体３の係止部２３が嵌合して、該係止部２３の係止爪２４が該かしめ部材１２の左右一対の係合片１９に係止される。このとき、該底体４の待機位置嵌着凹部２２に嵌着されたかしめ部材１２には、該蓋体３の係止部２３は嵌合しておらず、また、蓋体３を底体４にスライド嵌着が完了した状態で、かしめ部材１２は基板２の上部に位置している（図４参照）。
【００１４】
本実施例では、蓋体３を底体４にスライド嵌着して、基板ケース１を封止ロックした後に、使用位置嵌着凹部２１に嵌着されたかしめ部材１２の一端側（図４における左側）に生じる隙間Ｓに、例えばロックタイト等の接着剤を注入する。この場合、該接着剤は、基板ケース１内部に流れ込むことがないように、粘性の高い接着剤を使用することが望ましい。
なお、該基板ケース１の他端側は、ねじ（図示せず）によってねじ止め固定された後に、該ねじの上から封印シール（図示せず）によって封止されている。
【００１５】
上記の遊技機の基板ケース１を開封する場合には、使用位置嵌着凹部２１にかしめ部材１２が嵌着されている取付け部１１の横連結片１３（または端連結片１４）と縦連結片１５をニッパ等で切断する。そうすると、該かしめ部材１２は、該取付け部１１とともに底体４から切り離されるとともに、蓋体３の係止部２３に係止した状態で残されることとなり、該蓋体３と該底体４とは開閉自在となって、該基板ケース１は開封される。
そして、再度、遊技機の基板ケース１を封止ロックする場合には、底体４の取付け部１１の待機位置嵌着凹部２２に嵌着されていたかしめ部材１２のうちの一つを該取付け部１１の使用位置嵌着凹部２１に嵌着した後、上記と同様に、蓋体３を底体４にスライド嵌着することによって、基板ケース１が封止ロックされる。
【００１６】
上記のように、蓋体３を底体４にスライド嵌着したときに、底体４に取り付けられたかしめ部材１２に蓋体３の係止部２３が嵌合して係止されるため、蓋体３を底体４にスライド嵌着する工程（スライド工程）と同時に、かしめ部材１２に係止部２３を係止させる工程（ロック工程）を行うことができ、封止ロック作業の作業性を向上させることが可能となる。
【００１７】
また、蓋体３を底体４にスライド嵌着した状態でかしめ部材１２が基板２の上部に位置しているので、該基板ケース１の裏側から該かしめ部材１２を破壊しようとした場合には、該かしめ部材１２の下部に位置する該基板２が干渉することとなり、該基板ケース１の裏側からの不正解除を防止することができる。また、該基板ケース１の上面または側面から不正解除が行われた場合には、不正行為を早期に発見することができる。
【００１８】
更に、かしめ部材１２の材料として樹脂を使用しているため、生産性・量産性が高く、また、リサイクル性・廃棄性が良い。その上、樹脂製のかしめ部材１２は、成形加工が容易であるため、部品点数を削減することができ、製造コストを低減することができる。
【００１９】
また更に、蓋体３のフランジ部６を底体４のガイド溝５にスライド挿着することによって、該蓋体３を該底体４にスライド嵌着しているので、該蓋体３が該底体４に斜めに組み付けられることがなく、そのため組み付け作業性が高い。
その上、基板ケース１の一端側にのみ、封止構造（取付け部１１、かしめ部材１２、係止部２３）を設ければよいため、封止ロック作業の作業性が向上するとともに、部品点数を削減することができ、製造コストを低減することができる。
【実施例２】
【００２０】
図５〜図８には他の実施例が示される。
図１〜図４に示した前実施例に対して、本実施例の遊技機の基板ケース１では、図５および図６に示すように、基板ケース１の底体４の取付け部１１の一端側には壁部２５が立設されている。
また、該四個の取付け部１１は目印凸部２６を有する横連結片１３を介して相互に連結されており、また、両端の取付け部１１の外端部は端連結片１４を介して基板ケース１の底体４にそれぞれ連結されている。更に、該四個の取付け部１１の下部は左右一対の縦連結片１５を介して基板ケース１の底体４にそれぞれ連結されている。
【００２１】
図７および図８に示すように、本実施例の遊技機の基板ケース１を封止ロックする場合、実施例１と同様に、四個のかしめ部材１２のうち一つのかしめ部材１２を底体４の取付け部１１の使用位置嵌着凹部２１に嵌着するとともに、残りのかしめ部材１２を該取付け部１１の待機位置嵌着凹部２２に嵌着し、該蓋体３のフランジ部６を底体４のガイド溝５にスライド挿着することによって、蓋体３を底体４にスライド嵌着し、基板ケース１を封止ロックする。
また、該基板ケース１を開封する場合、使用位置嵌着凹部２１にかしめ部材１２が嵌着されている取付け部１１の横連結片１３（または端連結片１４）と縦連結片１５をニッパ等で切断する。そうすると、実施例１と同様に、該かしめ部材１２が、該取付け部１１とともに底体４から切り離されるとともに、蓋体３の係止部２３に係止した状態で残されることとなり、該蓋体３と該底体４とは開閉自在となって、該基板ケース１は開封される。
更に、再度、遊技機の基板ケース１を封止ロックする場合、底体４の取付け部１１の待機位置嵌着凹部２２に嵌着されていたかしめ部材１２のうちの一つを該取付け部１１の使用位置嵌着凹部２１に嵌着した後、実施例１と同様に、蓋体３を底体４にスライド嵌着することによって、基板ケース１が封止ロックされる。
【００２２】
本実施例の遊技機の基板ケース１でも、実施例１と同様の作用効果を奏することができる。
その上、本実施例では、基板ケース１の底体４の取付け部１１の一端側に壁部２５が立設されているので、該取付け部１１に嵌着されたかしめ部材１２を外部から視認することができず、したがって、該かしめ部材１２に外部から不正行為を施すのが困難になる。
また、該取付け部１１の横連結片１３には目印凸部２６が設けられているため、該横連結片１３を切断する際の作業性が向上する。
【００２３】
以上、本発明の実施の形態を実施例により説明したが、本発明の範囲はこれらに限定されるものではなく、請求項に記載された範囲内において目的に応じて変更・変形することが可能である。
【産業上の利用可能性】
【００２４】
本発明は、封止ロック作業の作業性を向上させることができ、かつ、基板ケースの裏側からの不正解除を防止することができる遊技機の基板ケースとして、産業上利用することが出来る。
【図面の簡単な説明】
【００２５】
【図１】実施例１の基板ケースの分解斜視図である。
【図２】実施例１の基板ケースの拡大斜視図である。
【図３】実施例１の基板ケースの説明側断面図である。
【図４】実施例１の基板ケース（封止ロック状態）の説明側断面図である。
【図５】実施例２の基板ケースの分解斜視図である。
【図６】実施例２の基板ケースの拡大斜視図である。
【図７】実施例２の基板ケースの説明側断面図である。
【図８】実施例２の基板ケース（封止ロック状態）の説明側断面図である。
【符号の説明】
【００２６】
１  基板ケース
２  基板
３  蓋体
４  底体
１１  取付け部
１２  かしめ部材
２３  係止部
【図１】
2005349068.tif 000003
【図２】
2005349068.tif 000004
【図３】
2005349068.tif 000005
【図４】
2005349068.tif 000006
【図５】
2005349068.tif 000007
【図６】
2005349068.tif 000008
【図７】
2005349068.tif 000009
【図８】
2005349068.tif 000010